(57)【要約】【課題】複数の電池パックの外部に当該複数の電池パックの出力を制御するスイッチを設けることなく、放電時の放電経路の抵抗の増加を抑えることができるようにする。【解決手段】電池パック１は、カメラ本体１００からの通信によりＭＯＳＦＥＴ１０のＯＮ／ＯＦＦを切り替えることにより、電池セル２，３の出力をＭＯＳＦＥＴ１０のボディダイオード経由でダイオードのＶＦ分低い電圧を出力して充電できないようにするか、ＯＮ状態にしたＭＯＳＦＥＴ１０を経由して低抵抗で出力するかを切り替える。【選択図】図７
2010273448.tif 000002
【特許請求の範囲】
【請求項１】
充電可能な電池セルと、前記電池セルに直列に接続された充電用スイッチ手段および放電用スイッチ手段と、電子機器に接続した際に当該電子機器と通信を行う通信手段と、前記充電用スイッチ手段および前記放電用スイッチ手段を制御する制御手段とを備える電池パックにおいて、
前記制御手段は、前記電池セルの状態および前記電子機器との通信に応じて、前記放電用スイッチ手段のＯＮ／ＯＦＦを切り替えることを特徴とする電池パック。
【請求項２】
前記制御手段は、前記電池セルの状態に異常がなく、前記通信の内容が大電流放電許可である場合には、前記放電用スイッチ手段をＯＮに切り替え、前記通信の内容が大電流放電禁止である場合には、前記放電用スイッチ手段をＯＦＦに切り替えることを特徴とする請求項１に記載の電池パック。
【請求項３】
前記制御手段は、前記放電用スイッチ手段をＯＦＦに切り替える場合、前記電池パックの放電可能な電圧よりも低い電圧で放電を行うことを特徴とする請求項２に記載の電池パック。
【請求項４】
前記充電用スイッチ手段は、ソース側が前記電池セルの正極側に接続されたＭＯＳＦＥＴで構成され、
前記放電用スイッチ手段は、前記充電用スイッチ手段のドレイン側にドレイン側が直列に接続されたＭＯＳＦＥＴで構成されていることを特徴とする請求項１から３のいずれか１項に記載の電池パック。
【請求項５】
外部の電源に接続される放電用スイッチ手段と、電子機器に接続した際に当該電子機器と通信を行う通信手段と、前記放電用スイッチ手段を制御する制御手段とを備えるＤＣカプラにおいて、
前記制御手段は、前記電源からの入力電圧の状態および前記電子機器との通信に応じて、前記放電用スイッチ手段のＯＮ／ＯＦＦを切り替えることを特徴とするＤＣカプラ。
【請求項６】
前記制御手段は、前記入力電圧に異常がなく、前記通信の内容が大電流放電許可である場合には、前記放電用スイッチ手段をＯＮに切り替え、前記通信の内容が大電流放電禁止である場合には、前記放電用スイッチ手段をＯＦＦに切り替えることを特徴とする請求項５に記載のＤＣカプラ。
【請求項７】
前記放電用スイッチ手段は、ドレイン側が前記電源に接続されたＭＯＳＦＥＴで構成されていることを特徴とする請求項５または６に記載のＤＣカプラ。
【発明の詳細な説明】
【技術分野】
【０００１】
本発明は、複数の電池パックを装着可能な電子機器に関する。
【背景技術】
【０００２】
従来、充電可能な電池パックを複数装着することか可能な電子機器では、電池パックの外部に複数の電池パックの出力を制御するスイッチを設ける必要があった。例えば、装着された２つの二次電池の電圧を電圧比較器により比較検出し、その検出結果に基づいて、スイッチ素子を制御して必要な放電経路を形成する二次電池駆動システムが提案されている（例えば、特許文献１参照）。電池の放電制御用スイッチを無線通信によるＩＤ認証結果に基づいて、ＯＮ／ＯＦＦ制御する機器も提案されている（例えば、特許文献２参照）。
【先行技術文献】
【特許文献】
【０００３】
【特許文献１】特開２０００−３２４７０６号公報
【特許文献２】特開２００７−３５４７９号公報
【発明の概要】
【発明が解決しようとする課題】
【０００４】
しかしながら、特許文献１に記載された二次電池駆動システムでは、電池の外部にＭＯＳＦＥＴによるスイッチを設けているため、放電時に放電経路の抵抗が大きくなってしまう問題がある。
【０００５】
一方、特許文献２に記載された機器では、電池の放電制御用スイッチが切られた場合、機器側に無線通信を行うための電力を供給する手段が存在しなくなり、電池と機器との通信が行えない。
【０００６】
そこで、本発明は、複数の電池パックの外部に当該複数の電池パックの出力を制御するスイッチを設けることなく、放電時の放電経路の抵抗の増加を抑えることができるようにすることを目的とする。
【課題を解決するための手段】
【０００７】
上記目的を達成するために、本発明に係る電池パックは、充電可能な電池セルと、前記電池セルに直列に接続された充電用スイッチ手段および放電用スイッチ手段と、電子機器に接続した際に当該電子機器と通信を行う通信手段と、前記充電用スイッチ手段および前記放電用スイッチ手段を制御する制御手段とを備える電池パックにおいて、前記制御手段は、前記電池セルの状態および前記電子機器との通信に応じて、前記放電用スイッチ手段のＯＮ／ＯＦＦを切り替えることを特徴とする。
【０００８】
上記目的を達成するために、本発明に係るＤＣカプラは、外部の電源に接続される放電用スイッチ手段と、電子機器に接続した際に当該電子機器と通信を行う通信手段と、前記放電用スイッチ手段を制御する制御手段とを備えるＤＣカプラにおいて、前記制御手段は、前記電源からの入力電圧の状態および前記電子機器との通信に応じて、前記放電用スイッチ手段のＯＮ／ＯＦＦを切り替えることを特徴とする。
【発明の効果】
【０００９】
本発明によれば、複数の電池パックの外部に当該複数の電池パックの出力を制御するスイッチを設けることなく、放電時の放電経路の抵抗の増加を抑えることができる。
【図面の簡単な説明】
【００１０】
【図１】本発明の第１の実施形態に係る電子機器の概略構成を表す側断面図である。
【図２】図１のデジタルカメラにおける電池ボックスの概略構成を表す図である。
【図３】デジタルカメラの電気回路部の構成例を表すブロック図である。
【図４】デジタルカメラに使用される充電可能な電池パックの概略構成を示す図である。
【図５】電池パックと電気回路部との電気的な接続を示すブロック図である。
【図６】電池パックに内蔵された２つのＭＯＳＦＥＴの状態と出力される電圧との関係を示す図である。
【図７】電池パック内の制御回路による２つのＭＯＳＦＥＴを利用した放電制御動作の一例を示すフローチャートである。
【図８】本発明の第２の実施形態に係る電子機器に装着可能なＤＣカプラの概略構成を示す図である。
【図９】デジタルカメラの電池ボックスにＤＣカプラ及び電池パックを装着したときの電気的な接続を示すブロック図である。
【図１０】ＤＣカプラ内部の制御回路によるＭＯＳＦＥＴを利用した放電制御動作の一例を示すフローチャートである。
【図１１】電池パック１またはＤＣカプラ２１の接続に応じて変化する電源種別を識別するためのＩＤの内容を示す図である。
【図１２】本発明の第３の実施形態に係る電子機器の制御回路部３０３が実行する電池パック１またはＤＣカプラ２１の放電／給電制御動作の一例を示すフローチャートである。
【発明を実施するための形態】
【００１１】
以下、本発明の実施の形態を図面を参照して詳細に説明する。
【００１２】
図１は、本発明の第１の実施形態に係る電子機器の概略構成を表す側断面図である。本発明の第１の実施形態に係る電子機器の一例として、撮像装置であるデジタルカメラを用いる。
【００１３】
図１において、１００は一眼レフタイプのデジタルカメラ（以下、単に「カメラ」と呼ぶ）本体である。１０１は撮影レンズであり、カメラ本体１００に対して、レンズマウント１０２を介して交換可能である。１０３はカメラ本体１００の撮影光軸、１０４はクイックリターンミラーである。
【００１４】
１０５はピント板であり、クイックリターンミラー１０４により反射され、ファインダ光学系に導かれる被写体光を結像する。１０６はコンデンサレンズ、１０７はペンタゴナルダハプリズムであり、ピント板１０５及びコンデンサレンズ１０６を透過した被写体光を測光センサ１０８及び光学ファインダ用接眼レンズ１０９に導く。１１０は光学ファインダの接眼窓である。
【００１５】
１１１は後幕、１１２は先幕であり、これらによりシャッターが構成される。後幕１１１と先幕１１２を開放することにより、撮影レンズ１０１を透過した被写体光は、光学ローパスフィルタ及び赤外カットフィルタを一体化した光学フィルタ１１３を透過し、撮像素子１１４に露光される。撮像素子１１４は、光学像を電気信号に変換する、例えばＣＣＤ等で構成される。
【００１６】
１１５は液晶表示装置であり、撮影画像、各種撮影情報、設定情報や電池パックの有無及び残量等を表示する。１１６は、例えば、半導体メモリや磁気ディスク、光ディスク等からなる記憶装置であり、撮像された画像情報を記憶する。
【００１７】
１１７は、電池ボックスであり、カメラ本体１００を駆動するための電源として複数の電池パックが装填可能に構成されている。１１８は通信端子であり、パソコンやプリンタなどの電子機器と通信するための接続端子で、例えば、ＵＳＢやＩＥＥＥ１３９４用の端子である。
【００１８】
図２は、図１のカメラ本体１００の電池ボックス１１７の概略構成を表す図である。
【００１９】
図２において、１１７ａは電池ボックス１１７の左側の電池収納室、１１７ｂは右側の電池収納室であり、これらは装填された電池パックを保持する機能を有する。２００は電気回路部、２０１，２０２，２０３はそれぞれ電気回路部２００に対する左側電池収納室１１７ａ、右側電池収納室１１７ｂの正極端子、右側電池収納室１１７ｂの正極端子、通信端子である。２０４，２０５は左右それぞれの電池蓋の開閉を判別するための情報を伝達するための電池蓋開閉判別端子である。
【００２０】
２０６，２０７は、それぞれ左側電池収納室１１７ａ、右側電池収納室１１７ｂの電池蓋であり、装填された電池パックを外乱から保護する。電池蓋２０６，２０７が開閉することにより、電池蓋開閉検出スイッチ２０８，２０９がそれぞれオン／オフする。
【００２１】
電池蓋２０６が閉状態にある場合、電池蓋開閉検出スイッチ２０８がオンとなり、負極端子２０２と左側電池蓋開閉判別端子２０４がショートされる。電池蓋２０６が開状態にある場合、電池蓋開閉検出スイッチ２０８がオフとなり、負極端子２０２と左側電池蓋開閉判別端子２０４はオープンとなる。
【００２２】
電池蓋２０７が閉状態にある場合、電池蓋開閉検出スイッチ２０９がオンとなり、負極端子２０２と左側電池蓋開閉判別端子２０４がショートされる。電池蓋２０７が開状態にある場合、電池蓋開閉検出スイッチ２０９がオフとなり、負極端子２０２と右側電池蓋開閉判別端子２０５はオープンとなる。
【００２３】
従って、負極端子２０２と電池蓋開閉判別端子２０４，２０５がショートされているか否かを検出することにより、電池蓋が開閉どちらかの状態であるかを判別することが可能である。
【００２４】
２１０はそれぞれ左側電池収納室１１７ａの電池端子である。電池端子２１０は、正極端子、通信端子、温度検出端子（Ｔ端子）、負極端子を含む。温度検出端子（Ｔ端子）は、左側電池収納室１１７ａに電池パックを収納した場合に、正極端子と接続される。
【００２５】
２１１はそれぞれ右側電池収納室１１７ｂの電池端子である。電池端子２１１は、正極端子、通信端子、温度検出端子（Ｔ端子）、負極端子を含む。温度検出端子（Ｔ端子）は、右側電池収納室１１７ｂに電池パックを収納した場合には、どこにも接続されず、ＯＰＥＮ状態となる。
【００２６】
電池ボックス１１７に装填可能な電池パック２２０，２３０が装填されると、電池パック２２０の電極群２２１が、左側の電池端子２１０に、電池パック２３０の電極群２３１が右側の電池端子２１１にそれぞれ接続される。そして、電気回路部２００に電源供給されると共に、電気回路部２００は、電池パックと通信を行うことができるようになる。
【００２７】
図３は、図１のカメラ本体１００の電気回路部２００の構成例を表すブロック図である。
【００２８】
図３において、３０１は電源回路部であり、正極端子２０１及び負極端子２０２に接続された電池パックより電源供給を受け、安定化電源として、以下に説明する各回路構成要素を動作可能とする。
【００２９】
３０３は制御回路部であり、カメラ本体１００全体の制御を行う。制御回路部３０３には、図２にて説明した電池蓋開閉判別端子２０４，２０５と負極端子２０２が接続されており、電池蓋の開閉検出が行われる。また、制御回路部３０３は、電池蓋の検出結果及び通信端子２０３を介して、各電池パックと通信を行い、通信によって得られた電池パックの残容量や電圧などの情報から電池パックの状態を液晶駆動回路部３０４へ出力する。そして、図１にて説明した液晶表示装置１１５の表示を切り替えると共に、電力を供給する電池パックを決定し、決定した電池パックへの通信を行い、使用する電池パックの後述する内部スイッチをＯＮ状態に切り替える。
【００３０】
３０５は撮像素子１１４の出力信号が入力される信号処理部である。信号処理部３０５は、撮像素子１１４の出力信号をＡ／Ｄ変換してさらに画素補完演算など必要な信号処理を行った上で、画像情報を画像処理部３０６に出力する。また、信号処理部３０５は、画像の輝度や鮮鋭度に関する情報を制御回路部３０３に出力する。
【００３１】
画像処理部３０６は、画像情報に対する色合い調整やコントラスト調整やエッジ強調（輪郭強調）などの画像処理を施したり、記憶装置１１６に対して画像情報の記憶や読み出しを行うために画像情報の圧縮や伸長等の画像データの変換処理を行う。また、画像処理部３０６は、表示用画像情報を液晶駆動回路部３０４に出力し、液晶表示装置１１５には撮像された画像等がモニタ表示される。
【００３２】
３０７はレンズ制御部であり、信号処理部３０５の出力する画像の鮮鋭度の情報を受けて撮像素子１１４によって撮像された被写体像が最も鮮鋭となるように、制御回路部３０３の出力する信号に従って撮影レンズ１０１の焦点調節を行う。３０８は、絞り機構（不図示）を制御するための絞り制御部である。制御回路部３０３は、信号処理部３０５が出力する画像の輝度情報に従って最適な画像の明るさになるように、絞りの制御信号を絞り制御部３０８に出力する。
【００３３】
３０９はミラー制御部である。撮影時に操作部材３１０からの信号を制御回路部３０３が検出し、クイックリターンミラー１０４をミラーアップさせるようにミラー制御信号をミラー制御部３０９に出力する。
【００３４】
３１０は各種操作部材であり、撮影スイッチや再生スイッチ、或いはカメラ動作の設定及び選択を行うためのスイッチ等が含まれる。
【００３５】
図４は、図１のカメラ本体に使用される充電可能な電池パックの概略構成を示す図である。
【００３６】
図４において、１は電池セル及び各種回路、電池端子等を含む電池パック、２，３は充電可能な電池セルである。電池セル２と電池セル３は直列に接続される。４は、電池セル２，３のそれぞれの電圧を監視し、異常時には充電や放電を停止するための保護回路である。
【００３７】
５は、電池パック１内部の制御を行う制御回路であり、マイクロコンピュータを内蔵している。制御回路５は、保護回路４からの情報に基づき、電池パック１への充電や放電を禁止したり、充電や放電を可能な状態にしたりする機能と、電池パック１へ充電される電流と放電される電流を積算し、電池の残容量を演算する機能を有する。また、制御回路５は、電池パック１が装着された機器と通信を行う機能と、端子の状態により通信を行う場合の電池のアドレス情報を切り替える機能などを備える。
【００３８】
６は制御回路５に接続された電流検出回路である。電流検出回路６は、電流検出抵抗７の両端に発生する電圧をモニタして、電池パック１に充電される電流と電池パック１から放電される電流を検出し、制御回路５に伝達する。８は電池パック１内部の温度を検出するためのサーミスタであり、一端が負極端子１２側に、他端が温度検出端子１４側に接続され、電池セル２，３の近傍に配置されている。
【００３９】
９は電池セル２，３と直列に接続され、制御回路５により制御される充電用スイッチのＭＯＳＦＥＴであり、ソース側が電池セル３の正極側に接続されたＰｃｈＭＯＳＦＥＴで構成されている。１０はＭＯＳＦＥＴ９のドレイン側にドレイン側が直列に接続され、制御回路５により制御される放電用スイッチのＭＯＳＦＥＴであり、ＰｃｈＭＯＳＦＥＴで構成されている。
【００４０】
１１は電池パック１の正極端子であり、放電用ＭＯＳＦＥＴのソース側が接続されている。１２は電池パック１の負極端子であり、電池セル２の負極側が、電流検出抵抗７を介して接続されている。１３は制御回路５に接続され装着される機器と通信を行うための通信端子であり、例えば、公知のＬｉｎＵＡＲＴ等の通信プロトコルにより通信が行われる。
【００４１】
１４はサーミスタ８の一端と接続された温度検出端子であり、充電器に接続された際には、充電器から所定のバイアス電流を印加し、電池パック１の温度を検出する。また、温度検出端子１４は、電池パック１を使用する機器の装着された場合には、機器内で正極端子１１と接続されたか、Ｏｐｅｎのままかによって、制御回路は通信を行う際の電池のアドレス情報を切り替えるための装着位置検出用端子を兼ねている。
【００４２】
図５は、電池パック１と電気回路部２００との電気的な接続を示すブロック図である。
【００４３】
図示例は、複数の電池パック１が電池パック１ａ、電池パック１ｂとして電池ボックス１１７に収納された状態にある。ここで、電池ボックス１１７に収納された電池パック１ａ及び電池パック１ｂのそれぞれの正極端子１１ａ，１１ｂ及び負極端子１２ａ，１２ｂはそれぞれが相互に接続され、電源回路部３０１に電力を供給する。そして、それぞれの通信端子１３ａと１３ｂも相互に接続され、制御回路部３０３に接続されている。
【００４４】
図６は、電池パック１に内蔵されたＭＯＳＦＥＴ９，１０の状態と出力される電圧との関係を示す図である。
【００４５】
図６において、２つのＭＯＳＦＥＴの状態により出力電圧は下記の値となる。
【００４６】
ＭＯＳＦＥＴ９が“ＯＦＦ”、ＭＯＳＦＥＴ１０が“ＯＦＦ”の場合：出力電圧０Ｖ
ＭＯＳＦＥＴ９が“ＯＦＦ”、ＭＯＳＦＥＴ１０が“ＯＮ”の場合：出力電圧０Ｖ
ＭＯＳＦＥＴ９が“ＯＮ”、ＭＯＳＦＥＴ１０が“ＯＦＦ”の場合：出力電圧６．７Ｖ
ＭＯＳＦＥＴ９が“ＯＮ”、ＭＯＳＦＥＴ１０が“ＯＮ”の場合：出力電圧７．４Ｖ
上記のように、ＭＯＳＦＥＴ９が“ＯＦＦ”の場合には、出力が０Ｖとなり、ＭＯＳＦＥＴ９が“ＯＮ”の場合には、ＭＯＳＦＥＴ１０の状態により、異なる出力の電圧を出力する。ここで、ＭＯＳＦＥＴ９が“ＯＮ”で、ＭＯＳＦＥＴ１０が“ＯＦＦ”の場合には、ＭＯＳＦＥＴ１０のボディダイオードを経由して電圧が出力される。出力される電圧は、電池パックの放電可能な電圧よりも低い、ダイオードのＶＦ（約０．７Ｖ）だけ低い電圧となる。これは、正極端子に電池セルの電圧よりも高い電圧が印加されても、電池セルが充電されることがないようになっている。
【００４７】
図７は、電池パック１内部の制御回路５によるＭＯＳＦＥＴ９，１０を利用した放電制御動作の一例を示すフローチャートである。
【００４８】
ステップＳ１０１では、制御回路５は、ＭＯＳＦＥＴ９，１０をすべてＯＦＦ状態にする。次に、ステップＳ１０２では、制御回路５は、電池パック内部に異常電圧や異常高温などの異常がないかどうかを判断する。このとき、制御回路５は、電流検出回路６及び電流検出抵抗７により異常電圧が検出されたか否かを判断すると共に、サーミスタ８により異常高温が検出されたか否かを判断する。この結果、異常がなければステップＳ１０３へ進む一方、異常があればステップＳ１１０へ進む、すなわちそのまま本処理を終了する。
【００４９】
ステップＳ１０３では、制御回路５は、ＭＯＳＦＥＴ９をＯＮ状態にして、電池セル２，３からＭＯＳＦＥＴ１０のボディダイオードを経由して正極端子１１に電力を供給できるようにする。次に、ステップＳ１０４では、制御回路５は、通信端子１３を経由して通信があったかどうかを判断し、通信があればステップＳ１０５へ進む一方、通信がなければ通信を待つために、ステップＳ１０４を繰り返す。
【００５０】
ステップＳ１０５では、制御回路５は、通信の内容が大電流放電許可であるか否かを判断し、大電流放電許可であればステップＳ１０６へ進む一方、そうでないときはステップＳ１０７へ進む。ステップＳ１０６では、制御回路５は、ＭＯＳＦＥＴ１０をＯＮ状態に切り替え、電池セル２，３からＭＯＳＦＥＴ１０を経由して正極端子１１に電力を供給する。
【００５１】
ステップＳ１０７では、制御回路５は、通信の内容が大電流放電禁止であればステップＳ１０８へ進む一方、そうでないときはステップＳ１０９へ進む。ステップＳ１０８では、制御回路５は、ＭＯＳＦＥＴ１０がＯＮ状態のときはＯＦＦ状態に切り替える。そして、ＭＯＳＦＥＴ１０がＯＦＦ状態のときはそのままにして、電池セル２，３からＭＯＳＦＥＴ１０のボディダイオードを経由して正極端子１１に電力を供給できるようにする。
【００５２】
ステップＳ１０９では、制御回路５は、ステップＳ１０２と同様に、電池パック内部に異常電圧や異常高温などの異常がないかどうかを判断し、異常がなければステップＳ１０４へ戻る。一方、異常があれば、制御回路５は、ＭＯＳＦＥＴ９，１０をＯＦＦ状態にして、電池セル２，３からの出力を遮断して（ステップＳ１１０）、本処理を終了する。
【００５３】
第１の実施形態によれば、電池パック１は、カメラ本体１００からの通信によりＭＯＳＦＥＴ１０のＯＮ／ＯＦＦを切り替える。すなわち、電池セル２，３の出力をＭＯＳＦＥＴ１０のボディダイオード経由でダイオードのＶＦ分低い電圧を出力して充電できないようにするか、ＯＮ状態にしたＭＯＳＦＥＴ１０を経由して低抵抗で出力するかを切り替える。これにより、複数の電池パックの外部に当該複数の電池パックの出力を制御するスイッチを設けることなく、放電時の放電経路の抵抗の増加を抑えることができる。
【００５４】
［第２の実施形態］
図８は、本発明の第２の実施形態に係る電子機器に装着可能なＤＣカプラの概略構成を示す図である。
【００５５】
本発明の第２の実施形態として、図５の電池パック１ａに代えて電力を供給するためのＤＣカプラを装着した場合の放電制御動作について説明する。なお、第１の実施形態で説明した構成要素のついては同一の符号を付して、その説明を省略する。
【００５６】
図８において、２１は電池パック１と同一の形状をしたＤＣカプラであり、以下の部材を内蔵している。２２はＤＣカプラ２１に電力を供給するための正極端子、２３はＤＣカプラ２１に電力を供給するための負極端子である。２４ａ，２４ｂは正極端子２２及び負極端子２３に接続され、入力された電圧を分圧するための抵抗であり、この２つの抵抗によって分圧された電圧が制御回路２７に入力される。
【００５７】
２５は正極端子にアノード側を接続されたダイオード、２６は入力が瞬断された場合等に電源のバックアップを行うためのバックアップコンデンサである。２７はＤＣカプラ２１に入力される電圧をモニタしたり、カメラ本体内部の制御回路部３０３と通信をしたり、後述する放電用スイッチであるＭＯＳＦＥＴ２９を制御したりする制御回路である。
【００５８】
２８は抵抗である。２９は制御回路２７により制御され、出力を制御するためのＰｃｈＭＯＳＦＥＴで構成される出力スイッチである。３０はＤＣカプラ２１の正極端子であり、放電制御用のＭＯＳＦＥＴ２９のソース側が接続されている。３１はＤＣカプラ２１の負極端子であり、負極端子２３側に接続されている。
【００５９】
３２は制御回路２７に接続され、装着される機器との通信を行うための通信端子であり、例えば、公知のＬｉｎＵＡＲＴ等の通信プロトコルにより通信が行われる。３３はＤＣカプラ２１の装着位置検出用端子である。
【００６０】
ＤＣカプラ２１は、電池を二本収納できる電池ボックスであっても、一つだけ収納できればよく、第２の実施形態では、不図示の機械的手段により、電池ボックス１１７の左側にのみ収納できるようになっている。
【００６１】
図９は、カメラ本体１００の電池ボックス１１７にＤＣカプラ２１及び電池パック１を装着したときの電気的な接続を示すブロック図である。
【００６２】
図９において、３４はＡＣアダプタであり、ＤＣカプラ２１に対して、電力を供給する。電池ボックス１１７に収納されたＤＣカプラ２１及び電池パック１のそれぞれの正極端子３０，１１及び負極端子３１，１２は、それぞれが相互に接続される。そして、電源回路部３０１に電力を供給し、それぞれの通信端子１３ａ，１３ｂも相互に接続され、制御回路部３０３に接続されている。
【００６３】
図１０は、ＤＣカプラ２１内部の制御回路２７によるＭＯＳＦＥＴを利用した放電制御動作の一例を示すフローチャートである。
【００６４】
ステップＳ２０１では、制御回路２７は、ＭＯＳＦＥＴ２９をＯＦＦ状態にする。次に、ステップＳ２０２では、制御回路２７は、ＡＣアダプタ３４からの入力電圧などの異常がないかどうかを判断する。この結果、異常がなければステップＳ２０３へ進む一方、異常があればステップＳ２０９へ進み、そのまま本処理を終了する。
【００６５】
ステップＳ２０３では、制御回路２７は、通信端子３２を経由した通信があったかどうかを判断し、通信があればステップＳ２０４へ進む一方、通信がなければ通信を待つために、ステップＳ２０３を繰り返す。
【００６６】
ステップＳ２０４では、制御回路２７は、通信の内容が大電流放電許可であるか否かを判断し、大電流放電許可であればステップＳ２０５へ進む一方、そうでないときはステップＳ２０６へ進む。
【００６７】
ステップＳ２０５では、制御回路２７は、ＭＯＳＦＥＴ２９をＯＮ状態にして、ＡＣアダプタ３４からＭＯＳＦＥＴ２９を経由して正極端子３０に電力を供給する。ステップＳ２０６では、制御回路２７は、通信の内容が大電流放電禁止であるか否かを判断し、大電流放電禁止であればステップＳ２０７へ進む一方、そうでないときはステップＳ２０８へ進む。
【００６８】
ステップＳ２０７では、制御回路２７は、ＭＯＳＦＥＴ２９がＯＮ状態のときはＯＦＦ状態にする。そして、ＭＯＳＦＥＴ２９がＯＦＦ状態のときはそのままにして、ＡＣアダプタ３４からＭＯＳＦＥＴ２９のボディダイオードを経由して正極端子３０に電力を供給できるようにする。
【００６９】
ステップＳ２０８では、制御回路２７は、ステップＳ２０２と同様に、入力電圧などに異常がないかどうかを判断し、異常がなければステップＳ２０３へ進む。一方、異常があれば、制御回路２７は、ＭＯＳＦＥＴ２９をＯＦＦ状態にして出力を遮断し（ステップＳ２０９）、本処理を終了する。
【００７０】
第２の実施形態によれば、ＤＣカプラ２１は、通信によりＭＯＳＦＥＴ２９のＯＮ／ＯＦＦを切り替える。すなわち、出力をＭＯＳＦＥＴのボディダイオード経由で、ダイオードのＶＦ分低い電圧を出力し、充電できないようにするか、ＯＮしたＭＯＳＦＥＴを経由して低抵抗で出力するかを切り替える。これにより、放電時の放電経路の抵抗の増加を抑えることができる。
【００７１】
［第３の実施形態］
本発明の第３の実施形態では、２つの電池パックが装填されているか、一方にＤＣカプラ２１が装着されているかを、温度検出端子への接続有無に対応して設定されたＩＤ_Ｎｏ．を識別することで判断し、その結果に基づいて放電電流の制御を行う。
【００７２】
図１１は、電池パック１またはＤＣカプラ２１の接続に応じて変化する電源種別を識別するためのＩＤの内容を示す図である。
【００７３】
温度検出端子１４が、図５の電池パック１ｂの温度検出端子１４ｂのようにＯｐｅｎ状態である場合には、サーミスタ８ｂにより負極側にプルダウンされている状態となり、制御回路５は“Ｌｏｗ”と認識するため、ＩＤ＝“０”となる。
【００７４】
一方、温度検出端子１４が、図５の電池パック１ａの温度検出端子１４ａのように正極端子１１ａと接続されている場合には、正極端子１１ａと同電位となり、制御回路５は“Ｈｉｇｈ”と認識するため、ＩＤ＝“１”となる。
【００７５】
このようにして、電池ボックス１１７内のどの位置に電池パック１が装着されているかによって、ＩＤが変更されるようになっている。制御回路部３０３は、一組の通信ラインのみで、電池パック１の装着されている位置を認識することができ、それぞれの電池と個別に通信を行うことができる。
【００７６】
また、図９に示すように、電池ボックス１１７にＤＣカプラ２１が装着されている場合、装着位置検出用端子３３が正極端子３０に接続され、ＩＤ＿Ｎｏ．１となる。
【００７７】
図１２は、本発明の第３の実施形態に係る電子機器の制御回路部３０３が実行する電池パック１またはＤＣカプラ２１の放電／給電制御動作の一例を示すフローチャートである。
【００７８】
ステップＳ３０１では、制御回路部３０３は、不図示のメンスイッチがＯＮになっているかどうかを判断し、ＯＮであれば、ステップＳ３０２へ進み、ＯＮでなければステップＳ３１３へ進む。
【００７９】
ステップＳ３０２では、制御回路部３０３は、装填された電源（電池パック１またはＤＣカプラ２１）と通信を行い、装着されている電源の種別を判断する。次に、ステップＳ３０３では、ステップＳ３０２の判断の結果、装着されているものが電池パック１か、ＤＣカプラ２１かを判断する。この結果、電池パック１であればステップＳ３０５へ進む一方、ＤＣカプラ２１であれば、ステップＳ３０４へ進む。
【００８０】
ステップＳ３０４では、図９に示すように、ＩＤ＿Ｎｏ．１の電源がＤＣカプラ２１であり、電池ボックス１１７にＤＣカプラ２１と電池パック１が同時に装着された場合には、ＤＣカプラ２１を使用する。そのため、制御回路部３０３は、ＩＤ＿Ｎｏ．１の電源内の制御回路に対して、大電流放電許可の通信を送り、ステップＳ３０１へ戻る。
【００８１】
ステップＳ３０５では、図５に示すように、ＩＤ＿Ｎｏ．１の電源が電池パック１ａであるため、制御回路部３０３は、電池パック１ａの電池残量を制御回路５ａとの通信により取得し、ステップＳ３０６へ進む。ステップＳ３０６では、ＩＤ＿Ｎｏ．０の電源も電池パック１ｂであるため、制御回路部３０３は、電池パック１ｂの電池残量を制御回路５ｂとの通信により取得してステップＳ３０７へ進む。
【００８２】
ステップＳ３０７では、制御回路部３０３は、ステップＳ３０６，Ｓ３０７で取得した２つの電池残量を比較し、ＩＤ＿Ｎｏ．１の電池パック１ａの方が電池残量が多ければ、ステップＳ３０８へ進む。一方、ＩＤ＿Ｎｏ．０の電池パック１ｂの方が電池残量が多ければステップＳ３１０へ進む。
【００８３】
ステップＳ３０８では、制御回路部３０３は、ＩＤ＿Ｎｏ．０の電池パック１ｂ内の制御回路５ｂと通信を行い、大電流放電禁止を通信して、ステップＳ３０９へ進む。ステップＳ３０９では、制御回路部３０３は、ＩＤ＿Ｎｏ．１の電池パック１ａ内の制御回路５ａと通信を行い、大電流放電許可を通信して、ステップＳ３１２へ進む。
【００８４】
一方、ステップＳ３１０では、制御回路部３０３は、ＩＤ＿Ｎｏ．１の電池パック１ａ内の制御回路５ａと通信を行い、大電流放電禁止を通信して、ステップＳ３１１へ進む。ステップＳ３１１では、制御回路部３０３は、ＩＤ＿Ｎｏ．０の電池パック１ｂ内の制御回路５ｂと通信を行い、大電流放電許可を通信して、ステップＳ３１２へ進む。
【００８５】
ステップＳ３１２では、制御回路部３０３は、所定時間を経過したかどうかを判断し、所定時間経過していれば、ステップＳ３０１へ戻る一方、所定時間経過していなければ、ステップＳ３１２を繰り返すことにより、所定時間ごとに電池残量状態の検出を繰り返す。
【００８６】
ステップＳ３１３では、制御回路部３０３は、ＩＤ＿Ｎｏ．０の電池パック１内の制御回路５と通信を行い、大電流放電禁止を通信して、ステップＳ３１４へ進む。ステップＳ３１４では、制御回路部３０３は、ＩＤ＿Ｎｏ．１の電池パック１内の制御回路と通信を行い、大電流放電禁止を通信して、本処理を終了する。
【００８７】
本実施形態によれば、制御回路部３０３は、装着された電源との通信を行い、電池残量の多い方またはＤＣカプラに対して、大電流放電許可の通信を行う。そして、片方の電池パックのＭＯＳＦＥＴ１０のみをＯＮして、片方の電池パックからの放電を電池内部のＭＯＳＦＥＴを用いて制御する。これにより、複数装着された電池パックの電池残量に応じて有効に放電制御を行うことができる。
【００８８】
［その他の実施形態］
第１〜第３の実施形態では、装填可能な電池パックの数量を２個としたが、これに限定されるものではない。
【００８９】
また、第１〜第３の実施形態では、放電を行う電池パックを電池残量の多い方として説明したが、残量の少ない方を優先させる方法や電圧により変える方法など、様々な電池の状態に応じて、放電を行う電池パックを選択する方法を本発明に適用してもよい。
【００９０】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明に含まれる。
【００９１】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００９２】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９３】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【００９４】
１，１ａ，１ｂ，２２０，２３０  電池パック
２，３  電池セル
５  制御回路
６  電流検出回路
８  サーミスタ
９  充電制御用のＭＯＳＦＥＴ
１０  放電制御用のＭＯＳＦＥＴ
１００  デジタルカメラ本体
３０１  電源回路部
３０３  制御回路部
【図１】
2010273448.tif 000003
【図２】
2010273448.tif 000004
【図３】
2010273448.tif 000005
【図４】
2010273448.tif 000006
【図５】
2010273448.tif 000007
【図６】
2010273448.tif 000008
【図７】
2010273448.tif 000009
【図８】
2010273448.tif 000010
【図９】
2010273448.tif 000011
【図１０】
2010273448.tif 000012
【図１１】
2010273448.tif 000013
【図１２】
2010273448.tif 000014